(57)【要約】  ゴルフパッティングストロークでの不正確性を検出するパター練習装置。  この発明のパター練習装置はゴルフパターシャフトに脱着可能（２）に取り付けられ，各ランプが作動位置と中立位置とを持つ２つの案内ランプ（１９Ａ，１９Ｂ）とから構成される。一実施形態では，回転自在の円板磁石（２０Ａ，２０Ｂ）が各案内ランプに配置され，回転自在の各円板磁石は，それぞれのランプ上で中立位置（２３Ａ，２３Ｂ）に向けて偏倚される。中立位置から作動位置への回転自在の各円板磁石の運動は各ランプに隣接する磁石リードスイッチ（２５Ａ，２５Ｂ）により検出される。回転自在の各円板磁石が中立位置から作動位置へ移動したことを磁石リードスイッチが検出すると，スピーカが作動される。
2006501971.tif 000002
【特許請求の範囲】
【請求項１】
中立位置と作動位置とを有する少なくとも１つのトラックと，前記トラックに配置され，前記中立位置と前記作動位置との間で前記トラックに沿って運動ができ，前記トラックでの前記中立位置へ偏倚される自由移動構成要素と，前記トラックの前記作動位置へ運動する前記自由移動構成要素とにより作動可能な少なくとも１つの検出器と，前記検出器と電気的に接続する少なくとも１つの表示器とから構成されるパッティング練習装置において，前記表示器は，前記トラックでの前記作動位置へ連動する前記自由移動構成要素とによって前記検出器が作動される時に警報を出力する前記パッティング練習装置。
【請求項２】
前記トラックは前記中立位置から前記作動位置へと傾斜される案内ランプである請求項１記載のパッティング練習装置。
【請求項３】
前記自由移動構成要素は円板磁石である請求項１記載のパッティング練習装置。
【請求項４】
前記検出器は，前記案内ランプに隣接し，前記案内ランプに対してほぼ平行に整列される磁石リードスイッチである請求項２記載のパッティング練習装置。
【請求項５】
前記自由移動構成要素は導電性ボールベアリングである請求項１記載のパッティング練習装置。
【請求項６】
前記検出器は前記作動位置において前記案内ランプに配置される導電体である請求項２記載のパッティング練習装置。
【請求項７】
前記電気的な接続はプリント基板による請求項１記載のパッティング練習装置。
【請求項８】
前記表示器はスピーカである請求項１記載のパッティング練習装置。
【請求項９】
前記表示器は光源である請求項１記載のパッティング練習装置。
【請求項１０】
前記表示器は振動装置である請求項１記載のパッティング練習装置。
【請求項１１】
前記装置はパターのシャフトに取付けでき，前記シャフトに関して枢動自在な請求項１記載のパッティング練習装置。
【請求項１２】
前記案内ランプでの前記中立位置から前記作動位置への傾斜レベルを調整可能な請求項２記載のパッティング練習装置。
【請求項１３】
前記パッティング練習装置内にレベリング振り子が配置される請求項１記載のパッティング練習装置。
【請求項１４】
互いに対してほぼ垂直に向けられる２つの前記トラックを有する請求項１記載のパッティング練習装置。
【請求項１５】
添付図面に関連して，ここで実質的に説明したようなパッティング練習装置。
【発明の詳細な説明】
【技術分野】
【０００１】
この発明は，ゴルフゲームの，パッティングストロークにおける誤りを検出する装置に関する。特に，この発明は，ストロークの滑らかさ，パターヘッドの軌跡およびパッティングストローク中のフェイス角度の不完全性を検出するセンサに関する。
【背景技術】
【０００２】
ゴルフゲームは，参加者の点から見て世の中で最も人気のある娯楽スポーツの１つである。ゴルフの人気は，ゲームが簡単であることを意味しない。ゴルフは，ゲームでの勝利を達成するために，運動の徹底的な正確さを要求する。ストローク中の捕らえ難い不完全さがショットの結果における過ちの拡大を生じさせる。
【０００３】
技術的に正確な方法でパットができることは，パッティングは，ほとんどのストロークとしてラウンド中に費やされるので，高いハンディキャッププレイヤー，ウィークエンドプレイヤーからプロフェッショナルにいたるまでの全てのゴルファーにとってきわめて重大な事柄である。このことは，ゴルフコースで最も共通して使用されるフレーズの一つでもある「ショーにはドライブ，ダウにはパット」でも認められている。パッティングは，又ゲームをマスターするための最高に難しい面の１つでもある。プレイヤーには共通する４つの主要な技術的な不正確性がある。これらの不正確性は一致することのないスイングを生み，それゆえに，ミスパットが生じる。
【０００４】
１．不正確性の主な理由は，パッティングストロークにあるので，プロフェッショナルは，バックスイング中に手首の回転を使って，バックスイングからフォワードスイングへの変化を使い，垂直軸線に対して軸方向にクラブの回転が生じるフォワードスイングを使う。クラブヘッドは，バックストローク中ではボールのライン（予定進行線）に対して垂直に残らなくてはならない。
【０００５】
２．不正確なパッティングの他の理由は，クラブヘッドがパットのラインからはずれることである。パターは，バックスイングからフォワードスイングへの移行を通して，バックスイングのスタートから直線をたどって，ボールに触れるためにフォワードスイングに対してバックしなければならない。
【０００６】
３．不正確なパッティングの別の理由としては，バックスイングおよび／またはフォワードスイング中に急に加速し過ぎることである。理想的には，バックスイング中，フォワードスイング中および２つのスイング間の移行では，常に滑らかな加速，減速をしなくてはならない。
【０００７】
４．ボールのラインに対する軸方向でのクラブヘッドの回転は，プレイヤーのパッティングストロークにおいては，さらに技術上の不正確性となる。クラブヘッドはストローク中に常に水平面に対してほぼ平行にとどめておかなくてはならない。
【０００８】
一般的に，ほとんどのプレイヤーは，パッティングストロークでの不正確性を発見し，その不正確性を矯正するためにプロフェッショナルのサービスを求める。その後に，プレイヤーはこれらの矯正したパッティング技術を練習し，繰り返し，練習を通じて受けるアドバイスを実行する必要がある。パッティングスイングを矯正するこの方法は費用がかかるだけではなく，度々，効果がない。プレイヤーのコーチからの監督を受けないで，プレイヤーが正しいストロークを練習すると，悪い癖がプレイヤーの動作にはびこり，プレイヤーは技術的に正確でないストロークを練習して時間を費やす。
【０００９】
プレイヤーにとって，より都合が良く，費用対効果のある解決策は，練習中にストロークを監視し，ストロークが技術的に不正確な時には警報を発する装置を使用することである。このようにして，プレイヤーは正しいストロークを繰り返して練習でき，ゲーム中でもその練習成果を反映することが可能である。
【００１０】
上述課題への対応を試みる多数の先行技術がある。ノブルス（Nobles）による米国特許４９３０７８７号（‘７８７特許）は，パッティングストローク中に，パターヘッドの縦軸線が水平面と平行でなく回転されるか，パターヘッドがバックストロークで任意の右回り回転または左回り回転をする時に信号が発生するパターへのアタッチメントを開示している。
【００１１】
‘７８７特許のパッティング練習装置は，ネジまたは他の固着手段によりパターの後面に固定するように設計されている。その結果，この装置を使用するプレイヤーは，装置を固定するための特別の練習パターが必要となる。このパターはゴルファーがゲーム中に使用するパターとは異なる重量とバランスを持つことになる。ゲーム中に使用するパターで練習することには大きな利点があり，故に，‘７８７特許の装置は上記に挙げた課題解決に有効に取り組んでいないことが認められる。
【００１２】
さらに，‘７８７特許の装置は，上述のように，ストロークのラインを逸脱するという課題には対応していない。従って，クラブヘッドはバックスイング中に任意の軌跡をたどることとなり，ストロークエラーとしては表示されない。かように，‘７８７特許で開示される装置は，上述のように，パッティングストロークの不正確性の問題に取り組むためには不十分である。
【００１３】
コンリー（Conley）による米国特許５４３５５６１号（‘５６１特許）は，クラブフェイスの面と平行な方向での運動およびパッティング中のシャフトの縦軸線に対する軸方向でのクラブヘッドの回転を検出する慣性センサから成るパッティングストローク練習装置を開示し，クレームしている。このセンサは，クラブシャフトの縦軸線とクラブフェイスの面にも垂直な方向に向けられる枢軸点に装着される延長アームを含んでいる。
【００１４】
‘５６１特許の装置の設計は，装置がパターシャフト内に取付けられることを必要としている。これは，さらに装置の明らかな欠点であり，プレイヤーは取付けられた装置のある１本のクラブで練習をし，別のクラブでプレイをしなければならない。そのため，練習クラブとプレイするクラブは，明らかに異なるバランスと特性を持つので，この装置を使用するパッティング練習のメリットおよびパター練習は無駄となる。
【００１５】
ヘンウッド（Henwood）名義の米国特許５４４１２６９号（‘２６９特許）は，技術的な不正確性３でも上述したように，パターヘッドを急激に加速または減速されたことを検出し，ボールとクラブヘッドが接触する瞬間にパターヘッドが垂直軸線のまわりで軸方向に回転したことを検出するパッティングストローク練習装置を開示している。この装置はパッティングストロークでの技術的な欠点を検知するために振り子アクチュエータと衝撃アクチュエータとを使用する。
【００１６】
‘２６９特許の装置は，接触の瞬間での垂直軸線の周囲のクラブヘッドの軸回転だけを測定するので，ストロークの不正確性の問題には十分に取り組んではいない。そして，プレイヤーは，バックスイング中に垂直軸線の周囲でクラブを軸上に回転するストロークを練習してもよいが，接触前のフォワードスイング中にこの不正確性を矯正してもよく，技術的には矯正ストロークは考慮されずに，‘２６９特許で開示される装置はプレイヤーにストロークエラーの表示を明らかにすることはない。
【００１７】
さらに，‘２６９特許の装置は中空のクラブヘッド内の凹部に取付けるか，ネジまたは類似の固着装置によりクラブヘッドの頂部に固定をしなければならない。そして，プレイ中には使用しないパターを用いてパッティングストロークの練習をする必要もある。ゲーム中に使用するパターの特性とは異なる特性を持つパターで練習するので最少ながらの利点はある。
【００１８】
そして，上記に列記したように，パッティングストロークでの不正確性を検出する装置への必要性が残る。さらに，この装置は，同じクラブを練習およびゲームにおいてもプレイヤーが使用できるように，プレイヤーのパターに容易に取付けができ，パターから容易に取外しができるものでなくてはならない。そうした装置の利点は，プレイヤーがパッティングストロークで技術的な不正確性を検出でき，矯正ができ，ショットを正確に練習するために使用していたのと同じクラブを使用して，ゴルフのラウンドをプレイできるようにするものである。
【００１９】
発明の目的
この発明の目的は，背景技術の欄において定義したようなゴルファーのパッティングストロークの１以上の技術的な不正確性を解決することである。この発明の他の目的は，周知技術に対する有効な選択肢を提供することである。
【発明の開示】
【００２０】
唯一又は最広義の形態である必要はないが，１つの形態において，この発明は，
中立位置と作動位置とを有する少なくとも１つのトラックと，
前記トラックに配置され，前記中立位置と前記作動位置との間で前記トラックに沿って移動自在であって，前記トラックでの前記中立位置へ偏倚される自由移動構成要素と，
前記トラックの前記作動位置へと運動する前記自由移動構成要素とにより作動が可能な少なくとも１つの検出器と，
前記検出器と電気的に接続をする少なくとも１つの表示器を有し，
前記表示器は，前記トラックでの前記作動位置へ連動する前記自由移動構成要素とにより前記検出器が作動される時に警報を出力するパッティング練習装置である。
【００２１】
好ましくは，前記トラックは，前記中立位置から前記作動位置へと傾斜される案内ランプである。
【００２２】
好ましくは，前記自由移動構成要素は，円板磁石である。
【００２３】
好適には，前記検出器は，前記案内ランプに隣接して配置され，前記案内ランプに対してほぼ平行に整列される磁石リードスイッチである。
【００２４】
任意には，前記自由移動構成要素は，導電性ボールベアリングである。
【００２５】
選択的には，前記検出器は，前記作動位置において前記案内ランプに配置される導電体である。
【００２６】
好ましくは，前記電気的な接続は，プリント基板による。
【００２７】
好ましくは，前記表示器は，スピーカである。
【００２８】
任意には，前記表示器は，光源である。
【００２９】
選択的には，前記表示器は，振動装置である。
【００３０】
好適には，前記装置は，パターのシャフトに取付けができ，前記シャフトに枢動可能とする。
【００３１】
任意には，前記案内ランプでの前記中立位置から前記始動的な位置への傾斜レベルを調整可能とする。
【００３２】
任意には，前記パッティング練習装置内にレベリング振り子が配置される。
【００３３】
好ましくは，相互に略直角に配置される２つの前記トラックを有する。
【００３４】
この発明の別の特徴部分は次の詳細な説明からも明らかである。
【００３５】
発明の詳細な説明
この発明は，ゴルフゲームのためのパッティングストロークの不正確性を検出する装置に関するものである。特に，この発明はパッティングストローク中のストロークの滑らかさへの欠陥，パターヘッドの軌跡における欠陥およびクラブヘッドのフェイス角度の欠陥を検出する装置に関するものである。この装置はストロークの欠陥を検出する手段と，ストロークの欠陥が検出された時を表示する手段とから構成される。
【００３６】
パッティング練習装置は，次に説明する取付具によりパッティングヘッドの直ぐ上にあるパターシャフトに取付けられる。この説明を通して，複数の図面で示される発明の同じ構成要素を引用するために同一の符号が使用される。
【００３７】
この発明の一実施形態を図１乃至図５を参照して次に説明する。該当する個所では，説明中の状況を最もよく示す図面が引用される。図面が直接に引用されない個所では，この状況が複数の図面内にあることが推測できる。
【００３８】
図１，図２，図３，図４には，この発明のパッティング練習装置１の実施形態が示されている。パッティング練習装置１は，パッティング練習装置をパターのシャフト（図示せず）に固定するための三日月形状のクリップ取付手段２を有する。取付手段２は，枢軸４により検出表示ハウジング構成要素３に連結される。枢軸４により，ハウジング構成要素は取付手段に対して垂直移動自在であり，パターシャフト（図示せず）に取付けられるパターヘッドの縦軸線に対して軸方向に回転自在となる。
【００３９】
ハウジング構成要素３は，丸みのある頂点を備えた三角形に形成される。ハウジング構成要素３は，適当な手段により固着される２つの結合部分である頂部５と，底部６とから成り，適当な手段は，この場合，底部６内のねじ孔８を通り，頂部結合部分５と一体に形成された延長突部１０のネジ山がつけられた延長凹部９の内側に至るネジ７である。
【００４０】
底部６の連結部分は，さらに，電源スイッチ（図示せず）と，底部６から突出してこれと一体形成される振り子凹部１２と，電池接点１３と，底部６に突出して一体形成されるスピーカ凹部（図示せず）と，案内ランプ調整ネジ１４Ａおよび１４Ｂとから成る。頂部５の結合部分は，さらに，レベリング振り子１５と，透明な突出した２つの観察構成要素１６Ａ，１６Ｂと，透明な突出した振り子観察構成要素１７とから成る。
【００４１】
枢軸４は，パッティング装置を水平面内に水平に置くため，レベリング振り子１５と振り子観察構成要素１７と関連して使用される。多くのパッティングシャフトは，厳密には垂直でないので，この特徴部分は，この発明のパッティング練習装置１が，水平面内でパターヘッド（図示せず）の縦軸線とほぼ平行となることを確実にする。
【００４２】
底部６のハウジング結合部には，プリント基板１８と，スピーカ２６と，案内ランプ１９Ａ，１９Ｂと，各ランプに配置される１つの自由移動構成要素とが取付けられる。この実施形態では，自由移動構成要素は回転自在の円板磁石２０Ａ，２０Ｂとして形成されている。
【００４３】
案内ランプ１９Ａ，１９Ｂは，水平面内でパタークラブヘッドの縦軸線に対して４５度の角度で取付けられ，相互にほぼ直角に配置される。
【００４４】
案内ランプ１９Ａ，１９Ｂは，案内ランプ調整ネジ１４Ａ，１４Ｂが内部で終わるネジ山がつけられた延長凹部２２Ａ，２２Ｂを有する。螺子が設けられた延長凹部２２Ａ，２２Ｂは，それぞれ，円板磁石の中立位置２３Ａ，２３Ｂから離れた案内ランプ１９Ａ，１９Ｂ内に形成される。案内ランプ取付けネジ２４Ａ，２４Ｂは，それぞれ，案内ランプ１９Ａ，１９Ｂ内の円板磁石の中立位置２３Ａ，２３Ｂの末端に配置される。
【００４５】
案内ランプ１９Ａ，１９Ｂは，円板磁石の中立位置２３Ａ，２３Ｂから，円板磁石の中立位置から案内ランプ１９Ａ，１９Ｂ上の末端に配置される円板磁石の作動位置１１Ａ，１１Ｂ方向に傾斜される。この傾斜角度は案内ランプ取付けネジ２４Ａ，２４Ｂを締めたり緩めたりすることで変更される。案内ランプ１９Ａ，１９Ｂに沿った方向で円板磁石の中立位置２３Ａ，２３Ｂから円板磁石の作動位置１１Ａ，１１Ｂへ回転自在の円板磁石２０Ａ，２０Ｂの運動は，プリント基板１８に配置される磁石リードスイッチ２５Ａ，２５Ｂにより検出される。
【００４６】
磁石リードスイッチ２５Ａ，２５Ｂは，それぞれ，案内ランプ１９Ａ，１９Ｂの縦軸線とほぼ平行に整列され，円板磁石の作動位置１１Ａ，１１Ｂに隣接して配置される。これらのスイッチは開に付勢され，回路が完成していないことを意味する。反発磁力の検出によりスイッチが閉成して図５に示す回路が完成される。当業者は，リードスイッチ２５Ａの閉成および／またはリードスイッチ２５Ｂの閉成により回路が完成される時に，これらのスイッチが並列であり，スピーカ２６によって警報が出されることを認識するであろう。このことを，次に詳細に説明する。
【００４７】
さらに，当業者は，これらの磁石が円板磁石の中立位置２３Ａ，２３Ｂに位置される時には，また，回転自在の円板磁石２０Ａ，２０Ｂが磁石リードスイッチ２５Ａ，２５Ｂを閉成しないことを認識するであろう。これは，円板周囲の磁界の性質や各円板磁石２０Ａ，２０Ｂに関連する磁力の強度によるものである。
【００４８】
図示せざる電源スイッチがオンとなり，電池接点１３内に挿入される電池によりプリント基板１８の電気回路に接続される適当な電源があれば，円板磁石の中立位置２３Ａ，２３Ｂから離れて，円板磁石の作動位置１１Ａ，１１Ｂへの円板磁石２０Ａ，２０Ｂの移動を，磁石リードスイッチ２５Ａ，２５Ｂが検出することにより，表示が行なわれる。表示は，視認，聴取可能なもの，または，触感感知可能な手段でよい。パッティング練習装置１のこの実施形態では，表示は，図５の概要で示されるようなデジタルスピーカ２６により与えられる。スピーカ２６はプリント基板１８を介して磁石リードスイッチ２５Ａ，２５Ｂと電気的に接続される。磁石リードスイッチ２５Ａ，２５Ｂの一方または両方が閉成される時に回路が完成され，電気信号はスピーカ２６に送られてスピーカは音声を出力する。
【００４９】
案内ランプに沿った円板磁石の移動の検出は、パッティングストロークの技術的な不正確さを検出するための主なメカニズムである。この発明のパッティング練習装置は、背景技術の欄で説明したような４つの技術的な不正確性を検出する。
【００５０】
パッティング練習装置は、クラブヘッドのちょうど上方のパターシャフト（図示せず）上に配置され、パッティング練習装置の動きがクラブヘッドの動きを精密に倣っていることが認識されるであろう。かように，本発明装置は、パターヘッドの動きを倣っていることが認識されるであろう。
【００５１】
バックスイング中、フォワードスイング中、または２つのスイング間の移動中における手首の回転は、垂直軸に対する軸方向でのパタークラブヘッドの回転を生じる。この回転はパッティング練習装置に回転力を与える。
【００５２】
バックスイング中にクラブヘッドが垂直軸線の周りに軸方向で穏やかに回転されることを考慮すると、クラブヘッドは頂部からみて右回りに回転する。バックスイングからフォワードスイングへの移行時において、シャフトを介してプレイヤーによりクラブヘッドにかかる力がバックスイングからフォワードスイングにかけて変化するので、クラブヘッドの速度は０となる。この場合、案内ランプ１９Ａとボールの予定進行ラインとにより形成される角度は減少される。この移行において、ストローク運動量は移動自在の円板磁石に与えられる。案内ランプ１９Ａの壁により与えられる摩擦抵抗とランプの傾斜の重力抵抗は、この力と逆らう十分な抵抗を与えるので、完全なストロークでは移動自在の円板磁石を動かさないことになる。上記の回転状態において、案内ランプ１９Ａに沿った磁石円板の移動の検出は，ゴルフボールの予定の進行方向に接近する方向に整列がされる。この状態で，案内ランプ１９Ａの壁により与えられる抵抗は，クラブヘッドの回転により変化する有効な力線よりも小さい。この回転が回転自在な円板磁石２０Ａに与えられる運動量の変化からの力に足りる大きさであれば，案内ランプ１９Ａの壁や傾斜から受ける抵抗を克服するためには十分であり，従って，回転自在な円板磁石２０Ａは，円板磁石の中立位置２３Ａから離れて円板磁石の始動位置１１Ａへ連動して，磁石リードスイッチ２５Ａを閉成してスイングエラーの表示をゴルファーに伝達する。
【００５３】
同様な動作機構は，パッティング練習装置のための垂直軸線周囲の全ての軸方向運動にも適用され，従って，上記と同じ原理を使用することで全ての軸方向の動作の検出が可能である。
【００５４】
背景技術の欄で説明したように，ボールの予定の進行方向のラインに対して垂直な離脱は，ゴルファーのパッティングストロークでの他の技術的な欠点によるものである。例えば，バックスイング中にパターヘッドがプレイヤーのパッティングで離れた方向のゴルフボールの予定進行方向のラインから垂直に離脱していると考えられる。完全なストロークでは，ゴルフボールの予定進行方向のラインの方向で作用する力のみを持ち，説明したように，この力は回転自在な円板磁石２０Ａ，２０Ｂを磁石の中立位置２３Ａ，２３Ｂから磁石の始動位置１１Ａ，１１Ｂへと連動させるためには不十分である。上述の離脱状態では，瞬間的な力は移行ストロークでのゴルフボールの予定進行方向のラインと垂直な方向にかけられる。この力が摩擦力および案内ランプ１９Ａの傾斜によって与えられる重力を克服するのに十分に大きければ，回転自在の円板磁石２０Ａは，円板磁石の中立位置２３Ａから離れて円板磁石の作動位置１１Ａへ連動して磁石リードスイッチ２５Ａを閉成する。
【００５５】
同様の原理は，パットをするプレイヤーのゴルフボールの予定進行方向のラインと垂直なクラブヘッドの運動にも適用される。
【００５６】
背景技術の欄で説明したように，プレイヤーはストローク中にクラブヘッドを散漫に加速したり，減速したりする傾向があるのでパットをミスすることがある。この発明のパター練習装置は，プレイヤーのストロークが十分にスムーズでない時を検出することが可能である。
【００５７】
当業者は，加速した体が加速に関係して力を持ち，その力の度合は体の動く量と加速レベルとに依存するという事実を認識するであろう。パターヘッドの加速または減速が極端であれば，回転自在の円板磁石２０Ａ，２０Ｂに与えられる瞬発力は，自由に運動する円板磁石の案内ランプ１９Ａの抵抗力や案内ランプの傾斜によって加えられる重力を克服するために十分に大きくなる。従って，回転自在の円板磁石２０Ａ，２０Ｂは，それぞれ，磁石中立位置２３Ａ，２３Ｂから離れた磁石始動位置１１Ａ，１１Ｂへと連動し，それぞれ，磁石リードスイッチ２５Ａ，２５Ｂを閉成する。
【００５８】
不正確なスイングの加速方向および減速方向によって，回転自在の円板磁石２０Ａが連動するか，回転自在の円板磁石２０Ｂが連動するか，両方の回転自在の円板磁石が連動して対応するリードスイッチを閉成し，それによって，表示手段が作動する。
【００５９】
ゴルフプレイヤーのパッティングストロークに存在する別の技術的な欠点は，クラブヘッドをゴルフボールの予定方向のラインの周囲の軸線方向で回転させる傾向があることである。これに対して，完全なストロークは，ゴルフボールの予定方向のラインの周囲ではパタークラブヘッドの縦軸線が０回転となる。
【００６０】
この発明のゴルフパッティング練習装置は，このタイプの回転を検出することもでき，このタイプの回転発生をプレイヤーに表示することが可能である。例えば，シャフトから離れたパターヘッドの端部がシャフトの近くの端部より低くなる方向で，パターがボールの予定の進行方向に対して軸線方向で回転する時の状態を考慮している。この状態では，回転角度が十分に大きいと，円板磁石が案内ランプ１９Ａの抵抗力を越え，このランプの傾斜が，円板磁石の回転により減殺されるので，回転自在の円板磁石２０Ａは，円板磁石の中立位置２３Ａから離れて円板の作動位置１１Ａへ移動する。従って，磁石リードスイッチ２５Ａは閉成して，表示手段を作動する。      
【００６１】
同様の結果は，他の軸線方向で回転が起きれば円板磁石２０Ｂによって作動する。
【００６２】
当業者は，上述の動作の１以上の組合せは，本発明のパッティング練習装置によるパッティングストロークの正確な検出と，技術的な不正確性の表示を妨げないことを認識するであろう。
【００６３】
前述のように，ゴルフパッティング練習装置１の感度は，案内ランプ１９Ａ，１９Ｂの傾斜を変化させることによって変更することが可能である。この装置はウィークエンドプレイヤーからプロフェッショナルに至る全てのゴルファーのレベルに対応するので有利である。さらに，この装置は，プレイヤーのパッティング技術が改善されるにつれて感度を増すように変更が可能である。従って，プレイヤーが達成することが一層難しい完全なストロークを獲得し，その結果，プレイヤーの技量が向上する。
【００６４】
自由移動の円板磁石および磁石リードスイッチが，この発明の唯一の検出手段ではないことは，当業者により明らかであろう。この発明の変更実施形態では，上記と同じ原理を使用することで，円板磁石をボールベアリングに置き換えることが可能である。この実施形態では，導電体が案内ランプの作動位置に配置され，作動位置に対するボールの運動は，作動位置での導電体との接触により，表示手段を作動するための電気回路を形成する。
【００６５】
明細書の全体を通じて，この発明は任意の一実施形態または特徴的な部分の特定の実施形態に限定することなく，発明の好ましい実施形態を説明することが目標である。それ故に，この発明は別項の請求の範囲にのみ限定するものである。
【図面の簡単な説明】
【００６６】
【図１】本発明の実施形態によるパッティング練習装置の等大図を示す。
【図２】図１に示すパッティング練習装置の分解図を示す。
【図３】図１に示すパッティング練習装置の側部断面図を示す。
【図４】図１に示すパッティング練習装置の頂部断面図を示す。
【図５】図１に示すパッティング練習装置の構成部分である回路の概要を示す。
【図１】
2006501971.tif 000003
【図２】
2006501971.tif 000004
【図３】
2006501971.tif 000005
【図４】
2006501971.tif 000006
【図５】
2006501971.tif 000007
【国際調査報告】
2006501971.tif 000008
2006501971.tif 000009
2006501971.tif 000010